(57)【特許請求の範囲】
【請求項１】
検体中に含まれる二種以上の糖鎖結合性生理活性物質をそれぞれ測定する方法であって、糖鎖が結合した固相担体に検体を接触させて該糖鎖を介して固相担体に前記生理活性物質を結合させ、固相担体に結合した糖鎖結合性生理活性物質を、各糖鎖結合性生理活性物質に対する二種以上の抗体によって検出する糖鎖結合性生理活性物質の測定法。
【請求項２】
二種以上の抗体の検出が、該抗体に結合した異なる種類の標識物質をそれぞれ測定することによって行うことを特徴とする請求項１記載の測定法。
【請求項３】
二種以上の抗体の検出が、二種以上の各抗体に対する二次抗体であって別異の標識物質により標識された二次抗体によって行うことを特徴とする請求項１記載の測定法。
【請求項４】
標識物質が、特異的結合対の一方の物質、蛍光物質、発光物質、酵素、ハプテン及びラジオアイソトープからなる群から選択される物質である、請求項２又は３記載の測定法。
【請求項５】
標識物質として、蛍光物質又はラジオアイソトープが使用されることを特徴とする請求項２又は３記載の測定法。
【請求項６】
固相担体に結合した糖鎖がグリコサミノグリカンであることを特徴とする請求項１乃至５いずれか１項記載の測定法。
【請求項７】
グリコサミノグリカンがヘパリン又はヘパラン硫酸である請求項６記載の測定法。
【請求項８】
糖鎖結合性生理活性物質がサイトカインである請求項１乃至７いずれか１項記載の測定法。
【請求項９】
糖鎖結合性生理活性物質が肝細胞成長因子又は血管内皮細胞成長因子である請求項１乃至７いずれか１項記載の測定法。
【請求項１０】
少なくとも下記の(1)〜(5)の構成要素を含む糖鎖結合性生理活性物質の測定キット。
(1)糖鎖を結合した固相担体；
(2)第一の糖鎖結合性生理活性物質に対する抗体（抗体１）；
(3)第二の糖鎖結合性生理活性物質に対する抗体（抗体２）；
(4)第一の標識物質により標識した抗体１に対する二次抗体（二次抗体１）；
(5)第二の標識物質により標識した抗体２に対する二次抗体（二次抗体２）。
【請求項１１】
固相担体がマイクロプレート、ビーズ、チューブ又は微粒子状固相担体である請求項１０記載の測定キット。
【請求項１２】
第一及び第二の糖鎖結合性生理活性物質が、線維芽細胞増殖因子、肝細胞成長因子及び血管内皮細胞成長因子からなる群からそれぞれ選択される異なる物質であることを特徴とする請求項１０又は１１記載の測定キット。
【請求項１３】
抗体１及び抗体２が異なる生物種由来であることを特徴とする請求項１０乃至１２いずれか１項記載の測定キット。
【請求項１４】
第一及び第二の標識物質が、特異的結合対の一方の物質、蛍光物質、発光物質、酵素、ハプテン及びラジオアイソトープからなる群からそれぞれ選択される異なる物質である、請求項１０乃至１３いずれか１項記載の測定キット。
【請求項１５】
第一及び第二の標識物質のいずれか一方が、ラジオアイソトープ又は蛍光物質であることを特徴とする請求項１０乃至１３いずれか１項記載の測定キット。
【発明の詳細な説明】
【０００１】
【発明の属する技術分野】
本発明は糖鎖結合性生理活性物質の測定法に関する。また、更に本発明は上記測定法に使用するための測定キットに関する。
【０００２】
【従来の技術】
近年、生体内において生理活性を誘導する働きがある生理活性物質（例えば肝炎などの疾患において著しく増加し、肝実質細胞の成長を促進することが知られている肝細胞成長因子（ＨＧＦ）などのサイトカイン等）が糖鎖と特異的親和性を示し、結合性を有することが明らかになってきている。
【０００３】
このような生体内に存在する様々な生理活性物質と糖鎖の結合性を利用して生理活性物質の測定を行う方法としては、例えば、線維芽細胞増殖因子に対する抗体を固相担体に固着し、線維芽細胞増殖因子を含む検体をこの固相担体に接触させて抗原抗体反応に供し、抗体を介して固相担体に固着した線維芽細胞増殖因子を標識物質により標識したヘパリンと結合させることで検出する方法が知られている（特開平３−１５７５８号）。また、特開平４−２６２２５７号では、ヘパリンを固相担体に固着させ、標識物質により標識した抗線維芽細胞増殖因子抗体を用いて、ヘパリンを介して固相担体に結合した線維芽細胞増殖因子を測定する方法が記載されている。
【０００４】
【発明が解決しようとする課題】
固相担体に抗体を固着させる生理活性物質の従来の測定法は、抗体を固相担体に結合させる際、及び長期保存の際に抗体の力価が低下することから、使用する固相担体の調製は測定の直前に行うか、抗体を固着した固相担体の保存に工夫を要したため、予め生理活性物質を特異的に結合できる物質を固着させ、長期保存が可能な固相担体を用いる測定法の開発が必要とされていた。
【０００５】
また、糖鎖を固相担体に結合させる従来の測定方法においては、抗体を標識物質により標識することから、抗体が糖鎖結合性生理活性物質に対する親和性を失うこともあり、正確な測定を行うことができない場合も多かった。
【０００６】
【課題を解決するための手段】
本発明者らは、上記課題を解決するべく鋭意検討を重ねた結果、固相担体に糖鎖を結合することにより、従来知られていた生理活性物質の測定法と比較して、より簡便で正確な測定が可能であることを見いだした。
【０００７】
すなわち、本発明は、「生理活性物質に特異的に結合する糖鎖が結合した固相担体に検体を接触させ、検体中の糖鎖結合性生理活性物質を固相担体上の該糖鎖に結合させ、固相担体に結合した当該糖鎖結合性生理活性物質を検出することを特徴とする測定法」であり、糖鎖を結合した固相担体の使用による糖鎖結合性生理活性物質の測定法に特徴付けられる。
【０００８】
また、更に本発明は、「検体中に含まれる二種以上の糖鎖結合性生理活性物質を測定する方法であって、糖鎖が結合した固相担体に検体を接触させて該糖鎖を介して固相担体に前記生理活性物質を結合させ、固相担体に結合した糖鎖結合性生理活性物質を、各糖鎖結合性生理活性物質に対する二種以上の抗体によって検出する糖鎖結合性生理活性物質の測定法」を提供し、単一の固相担体を使用して複数の糖鎖結合性生理活性物質を同時に測定することを可能とした。さらに、本発明は上述の測定法それぞれに適した糖鎖結合性生理活性物質の測定キットを提供する。
【０００９】
【発明の実施の形態】
以下に本発明を実施の形態により詳説する。
▲１▼本発明方法１
本発明方法１は、生理活性物質に特異的に結合する糖鎖が結合した固相担体に検体を接触させ、検体中の糖鎖結合性生理活性物質を固相担体上の糖鎖に特異的に結合させ、固相担体に結合した当該糖鎖結合性生理活性物質を検出することを特徴とする測定法である。
【００１０】
本明細書において、糖鎖とは生理活性物質が結合しうる糖鎖であれば特に限定はされないが、糖鎖としてはグリコサミノグリカン、多くのサイトカインはヘパリン又はヘパラン硫酸に特異的に結合することから、その中でも特にヘパリン又はヘパラン硫酸が好ましい。また本発明において上記糖鎖を結合するための固相担体としては、マイクロプレート、ビーズ、チューブ、メンブレン、ゲル、微粒子状固相担体〔例えばアガロース粒子、ゼラチン粒子、カオリン粒子、合成ポリマー粒子（ラテックス粒子等）〕等が挙げられ、これらの固相担体の中でも、特に正確な定量性とその実施に際しての簡便性を考慮すると、マイクロプレート、ビーズ、チューブ又は微粒子状固相担体を固相担体として用いることが好ましい。糖鎖を上記の固相担体に結合する方法は、アフィニティークロマトグラフィー担体の調製などで常用されている公知の結合法を用いることができる。糖鎖の結合が困難な素材（例えばポリスチレン製）の固相担体の場合、その素材とよく吸着し、併せて糖鎖にも吸着性を示すタンパク質など（例えば糖鎖としてヘパリン又はヘパラン硫酸を使用する場合には、フィブロネクチン、或いはその還元誘導体又はアルキル化誘導体などが例示される）を最初に固相担体に結合させ、前記タンパク質に糖鎖を結合させる方法が例示される。
【００１１】
本発明方法により測定される糖鎖結合性生理活性物質としては、上述の糖鎖に結合性を有する生理活性物質であれば特に限定はされないが、例えばサイトカインが挙げられる。例えば上述の好ましい糖鎖として挙げたヘパリン及びヘパラン硫酸を用いる場合には、線維芽細胞増殖因子（ＦＧＦ）、肝細胞成長因子（ＨＧＦ）、及び血管内皮細胞成長因子（ＶＥＧＦ）、血管内皮細胞増殖因子（ＥＣＧＦ）、トランスフォーミング成長因子（ＴＧＦ）、上皮細胞成長因子（ＥＧＦ）、ミッドカイン（ＭＫ）、インターロイキン８（ＩＬ８）、ビトロネクチン（ＶＮ）、ヘパリン結合性脳細胞分裂誘発因子（ＨＢＢＭ）、ヘパリン結合性神経突起伸長促進因子（ＨＢＮＦ）等のサイトカインが挙げられるが、その中でも特に広い反応条件下で安定した結合性を示す線維芽細胞増殖因子、肝細胞成長因子及び血管内皮細胞成長因子が好ましく、より正確な測定が可能であるため肝細胞成長因子及び血管内皮細胞成長因子が最も好ましい。
【００１２】
固相担体に糖鎖を介して結合した上記の糖鎖結合性生理活性物質の検出は、該糖鎖結合性生理活性物質に特異的に結合する物質を用いて行うことが好ましい。そのような物質としては、例えば前記糖鎖結合性生理活性物質に対する抗体等が親和性の強さから好ましい。前記抗体としてはポリクローナル抗体又はモノクローナル抗体を用いることが可能であり特に限定はされない。上記検出において、上記糖鎖結合性生理活性物質に対する抗体を用いる場合は、当該抗体又は当該抗体に対する二次抗体を標識物質により標識することが、より正確な糖鎖結合性生理活性物質の測定が可能となるため好ましい。当該標識物質としては、例えば特異的結合対（例えばビオチンとストレプトアビジン等のアビジン類、又はレクチンとそのレクチンが認識する糖鎖等）の一方の物質；ＦＩＴＣ、フィコエリトリン、ユーロピウム、フィコシアニン、ローダミン、テキサスレッド、ウンベリフェロン、トリカラー、シアニン又は７−アミノ−４−メチルクマリン−３−酢酸（ＡＭＣＡ）等の蛍光物質類；ルミノール、アクリジニウム又はルシゲニン等の発光物質類、アルカリホスファターゼ、β−ガラクトシダーゼ、ペルオキシダーゼ又はグルコースオキシダーゼ等の酵素類；ジニトロフルオロベンゼン、ＡＭＰ（アデノシン一リン酸）又は２，４−ジニトロアニリン等のハプテン類；及び125Ｉ、131Ｉ、3Ｈ等のラジオアイソトープ類等を用いることが可能であり、特に限定されるものではない。標識物質の検出は、使用する標識物質に適した通常実施される方法により行うことが可能である。例えば、標識物質として上記酵素に分類されるペルオキシダーゼを用いた場合は、テトラメチルベンジジン（ＴＭＢ）などの酸素受容体と過酸化水素（H2O2）などの酸素供与体を反応させることにより、溶液の着色により検出することが可能である。
【００１３】
本明細書において検体とは、糖鎖結合性生理活性物質を含みうる液体であれば特に限定はされないが、特に生体内から取り出した体液検体（尿、血液、血漿、血清、組織液、リンパ液、腹水等）、臓器抽出液、細胞抽出液又は培養上清等が挙げられる。
【００１４】
▲２▼本発明方法２
本発明方法２は、検体中に含まれる二種以上の糖鎖結合性生理活性物質を測定する方法であって、糖鎖が結合した固相担体に検体を接触させ、糖鎖を介して固相担体に結合した二種以上の糖鎖結合性生理活性物質を、糖鎖結合性生理活性物質に対する二種以上の抗体により測定する方法であり、且つ二種以上の糖鎖結合性生理活性物質に対する抗体、あるいはこれらの抗体に対する二次抗体がそれぞれ異なる標識物質により標識されていることが好ましい。
【００１５】
本発明における、検体、糖鎖及び固相担体は上述の本発明方法１に記載したものと同様である。
本発明方法２は検体中に含まれる複数の糖鎖結合性生理活性物質を測定するための方法であるが、その測定の対象となる糖鎖結合性生理活性物質は、本発明方法によって測定できる限り限定されないが、前記の通りサイトカインが好ましい。例えば、糖鎖として上述の最も好ましい形態であるヘパリン又はヘパラン硫酸を用いた場合には、それに対して親和性が高く、且つ抗体の作成が可能である物質であるＦＧＦ、ＨＧＦ又はＶＥＧＦなどが挙げられるが、その中でも本発明方法１と同様、安定した測定が可能となるためＨＧＦ及びＶＥＧＦが最も好ましいが、特に限定はされない。例えば前記ＨＧＦ及びＶＥＧＦを同時に測定する場合は、それらに対する抗体（抗ＨＧＦ抗体及び抗ＶＥＧＦ抗体）を使用できる。これらの抗体としてはポリクローナル抗体又はモノクローナル抗体を利用することが可能である。本発明方法２で使用する生理活性物質に対する二種以上の抗体は、それぞれ判別して検出することが可能であるように、例えば一方はマウス由来のＩｇＧ抗体、他方はヤギ由来のＩｇＧ抗体と、それぞれ異なる生物種由来の抗体を使用する。例えば一方の抗体をマウス由来のＩｇＧ抗体、他方をヤギ由来のＩｇＧ抗体を用いた場合には、それらを判別、検出する手段としては、それぞれ異なる標識物質により標識した二次抗体である抗マウスＩｇＧ抗体及び抗ヤギＩｇＧ抗体を使用する。また、生理活性物質に対する二種以上の抗体は、それぞれ異なるサブクラスに属する抗体であってもよい。複数の二次抗体それぞれを標識する標識物質としては、上述の本発明方法１で列挙した物質が挙げられるが、その中でも特に一方の二次抗体を標識する標識物質としてラジオアイソトープ類又は蛍光物質類を使用することが好ましい。それぞれの標識物質を検出する方法は、選択する標識物質にあわせ、公知の方法から適宜選択することが可能である。
【００１６】
▲３▼本発明キット１
本発明キット１は、少なくとも下記の▲１▼〜▲３▼の構成要素を含む糖鎖結合性生理活性物質の測定キットである。
▲１▼糖鎖を結合した固相担体；
▲２▼糖鎖結合性生理活性物質に対する抗体；
▲３▼標識物質により標識した抗糖鎖結合性生理活性物質抗体に対する二次抗体。
【００１７】
本発明キット１は本発明方法１に記載された測定法を行うためのキットである。従って、本発明キット１における糖鎖、糖鎖結合性生理活性物質、糖鎖結合性生理活性物質に対する抗体、二次抗体は本発明方法１に記載したものと同様である。
本発明キット１における標識物質としては、本発明方法１に列挙した標識物質を使用することが可能であるが、特にキットとしての操作の簡便性を考慮すると、酵素類を使用することが好ましい。標識物質の検出は、使用する標識物質により適宜選択するべきであるが、例えば標識物質としてペルオキシダーゼを選択した際は、それを検出する手段としては、通常は過酸化水素及びＴＭＢの反応による発色が挙げられる。
【００１８】
▲４▼本発明キット２
本発明キット２は、少なくとも下記の▲１▼〜▲５▼の構成要素を含む糖鎖結合性生理活性物質の測定キットである。
▲１▼糖鎖を結合した固相担体；
▲２▼第一の糖鎖結合性生理活性物質に対する抗体（抗体１）；
▲３▼第二の糖鎖結合性生理活性物質に対する抗体（抗体２）；
▲４▼第一の標識物質により標識した抗体１に対する二次抗体（二次抗体１）；
▲５▼第二の標識物質により標識した抗体２に対する二次抗体（二次抗体２）。
【００１９】
本発明キット２は本発明方法２に記載された測定法を行うためのキットである。従って、本発明キット２における糖鎖、固相担体、測定対象とする糖鎖結合性生理活性物質及びそれぞれの糖鎖結合性生理活性物質に対する二次抗体は本発明方法２の記載と同様である。
本発明キット２における標識物質としては、本発明方法２で列挙したものを使用することが可能であるが、その中でも特に二種の抗体（抗体１、抗体２）を明確に判別して検出することが可能であるように、異なる検出法により検出される標識物質の組み合わせを適宜選択することが好ましい。少なくとも、二種の二次抗体の一方がラジオアイソトープ又は蛍光物質により標識されたキットが、検出及び測定の正確性から好ましい。これらの標識物質により、検出の手段は適宜選択される。検出の手段としては、本発明方法１、本発明方法２及び本発明キット１で記載したものと同様である。
【００２０】
【実施例】
以下に実施例により、本発明をより具体的に詳説する。
＜１＞ヘパリンを使用したＨＧＦの測定
１２本つながった0.25mlのマイクロチューブ（ヌンク社製）に、牛血清アルブミンを1%含む100μlの生理的リン酸緩衝液（ＢＳＡ−ＰＢＳと記載する）にヒト組換えＨＧＦを各種濃度（0μg、0.13μg、0.25μg、0.5μg、1μg、2μg、4μg、8μg）で含むように加えた溶液を分注した。このマイクロチューブに、洗浄したヘパリン結合粒子（ヘパリンアガロースビーズ（タイプI：シグマ社製）50μlを添加し、室温に30分間放置した。各チューブ中のヘパリン結合粒子をＢＳＡ−ＰＢＡで４回遠心により洗浄後、0.02%のTween-20を含むＰＢＳ（ＰＢＳＴと記載する）で、遠心により４回洗浄した。各チューブに抗ＨＧＦ抗体（ポリクローナルヤギＩｇＧ抗体：Ｒ＆Ｄ  システムス社製）を含むＢＳＡ−ＰＢＳ（抗ＨＧＦ抗体：ＢＳＡ−ＰＢＳ＝１：５００）を添加し、60分間室温に放置した。ヘパリン結合粒子をＢＳＡ−ＰＢＳＴで４回遠心により洗浄し、１：１０００で西洋ワサビペルオキシダーゼ結合抗ＩｇＧ抗体（バイオラッド社製）を含むＢＳＡ−ＰＢＳを100μl添加し、室温で60分間放置した。その後、ヘパリン結合粒子をＢＳＡ−ＰＢＳＴで４回、ＰＢＳＴで４回、遠心により洗浄し、洗浄後のヘパリン結合粒子に100μlの西洋ワサビペルオキシダーゼ基質溶液（1.25mM TMB、2.21mM過酸化水素、1% DMSO、0.08M 酢酸緩衝液（pH4.9）：バイオラッド社製）を添加して室温で３０分間放置して発色させた。ヘパリン結合粒子を遠沈後、上清を９６穴マイクロタイタープレート（ファルコン社製）に移し、イムノミニプレートリーダー（ヌンク社製）を使用して、414nmの吸光度を測定した（図１）。
【００２１】
＜２＞ヘパリンを使用したＶＥＧＦの測定
＜１＞の方法と同様に、ＨＧＦをＶＥＧＦ１６５に変えて、ヘパリン結合粒子を用によるＶＥＧＦの測定を行った（図２）。
【００２２】
＜３＞ＨＧＦ測定キット（本発明キット１）
本発明キット１の構成及び使用法の一例を以下に記載する。
本実施例における本発明キット１は、次の１〜８の要素からなる。
１．ヘパリンを固着させたイムノプレート（ブロッキング剤でブロッキング済）：１枚
２．標準ＨＧＦ溶液（1.3、2.5、5、10、20、40、80μg/mL、各0.1mL）：１バイアルずつ
３．抗ＨＧＦヤギポリクローナルＩｇＧ抗体（Ｒ＆Ｄシステムス社製）グリセロール溶液（10μL：PBSで100倍希釈して使用）：１バイアル
４．ペルオキシダーゼ標識抗ヤギＩｇＧ抗体（バイオラッド社製）（100μg/mL、150μl：PBSで100倍希釈して使用）：１バイアル
５．テトラメチルベンジジン溶液（1.25mM  TMB、2.21mM  H2O2、1%  DMSO、0.08M  酢酸緩衝液、pH4.9、15mL）：１バイアル
６．反応液（1%  BSAを含むPBS(-)、40mL）：１バイアル
７．洗浄液（0.05%  Tween-20を含むPBS(-)、500mL）：１バイアル
８．反応停止液（1N  HCl、15mL）：１バイアル
【００２３】
この本発明キット１の使用に際しては、イムノプレートの各ウェルを予め洗浄液で洗浄し、各ウェルに反応液を100μLずつ分注した。その後、各種濃度の標準ＨＧＦ溶液、劇症肝炎（血清中のＨＧＦ量が激増することが知られている）患者の血清又は健常人の血清を10μLずつ添加して室温で30分間静置した。その後、洗浄液で洗浄後、抗ＨＧＦヤギポリクローナル抗体溶液を100μLずつ添加して37℃に60分間静置した。洗浄液で2回洗浄した後、ペルオキシダーゼ標識抗ヤギＩｇＧ抗体を100μLずつ添加して37℃に30分間静置して反応させた。
【００２４】
静置後、各ウェルを洗浄液で3回洗浄し、その後各ウェルにテトラメチルベンジジン溶液100μLを添加し、37℃で15分間反応させ、発色させた。
発色後、各ウェルに反応停止液を100μL添加して反応を停止し、ペルオキシダーゼによるTMBとH2O2との反応生成物の着色波長である450nmの吸光度（対照波長630nm）をウェルリーダー（SK601：生化学工業株式会社販売）で定量した。その結果、劇症肝炎患者の血清中のＨＧＦ量が健常人の血清中のＨＧＦ量を大きく上回ることが確認された。
【００２５】
＜４＞ＨＧＦ、ＶＥＧＦ同時測定用キット（本発明キット２）
本実施例における本発明キット２は、次の１〜１１の要素からなる。
１．ヘパリンを固着させたイムノプレート（ブロッキング剤でブロッキング済）：１枚
２．標準ＨＧＦ溶液（1.3、2.5、5、10、20、40、80μg/mL、各0.1mL）：１バイアルずつ
３．標準ＶＥＧＦ溶液（1.3、2.5、5、10、20、40、80μg/mL、各0.1mL）：１バイアルずつ
４．抗ＨＧＦヤギポリクローナル抗体グリセロール溶液（10μL：PBSで50倍希釈して使用）：１バイアル
５．抗ＶＥＧＦマウスポリクローナル抗体グリセロール溶液（10μL：PBSで50倍希釈して使用）：１バイアル
６．ペルオキシダーゼ標識抗ヤギＩｇＧ抗体（100μg/mL、150μl：PBSで50倍希釈して使用）：１バイアル
７．131I標識抗マウスＩｇＧ抗体（100μg/mL、150μl：PBSで50倍希釈して使用）：１バイアル
８．テトラメチルベンジジン溶液（1.25mM  TMB、2.21mM  H2O2、1%  DMSO、0.08M  酢酸緩衝液、pH4.9、15mL）：１バイアル
９．反応液（1%  BSAを含むPBS(-)、40mL）：１バイアル
１０．洗浄液（0.05%  Tween-20を含むPBS(-)、500mL）：１バイアル
１１．反応停止液（1N  HCl、15mL）：１バイアル
【００２６】
この本発明キット２の使用に際しては、イムノプレートの各ウェルを予め洗浄液で洗浄し、各ウェルに反応液を100μLずつ分注した。その後、各種濃度の標準ＨＧＦ溶液、各種濃度の標準ＶＥＧＦ溶液、劇症肝炎患者の血清又は健常人の血清を10μLずつ添加して室温で30分間静置した。その後、洗浄液で洗浄後、抗ＨＧＦヤギポリクローナル抗体溶液及び抗ＶＥＧＦマウスポリクローナル抗体を50μLずつ添加して37℃に60分間静置した。洗浄液で2回洗浄した後、ペルオキシダーゼ標識抗ヤギＩｇＧ抗体及び131I標識抗マウスＩｇＧ抗体を50μLずつ添加して37℃に30分間静置して反応させた。
【００２７】
静置後、各ウェルを洗浄液で3回洗浄し、その後各ウェルにテトラメチルベンジジン溶液100μLを添加し、37℃で15分間反応させ、発色させた。
発色後、各ウェルに反応停止液を100μLずつ添加して反応を停止し、ペルオキシダーゼによるTMBとH2O2との反応生成物の着色波長である450nmの吸光度（対照波長630nm）をウェルリーダー（SK601：生化学工業株式会社販売）で定量した。さらに、各ウェルの放射能をシンチレーションカウンターを使用して測定した。その結果、劇症肝炎患者の血清中のＨＧＦ量が著しく上昇し、ＶＥＧＦ量はほとんど変化していないことが明らかとなった。
【００２８】
【発明の効果】
本発明によれば、臨床現場などで必要とされている検体中に含まれる糖鎖結合性生理活性物質を正確且つ簡便に測定する方法が提供され、また、前記測定法を実施するためのキットが提供される。
【図面の簡単な説明】
【図１】ヘパリンを固着したアガロース粒子を用いて作成した、ＨＧＦの標準曲線を示した図面である。
【図２】ヘパリンを固着したアガロース粒子を用いて作成した、ＶＥＧＦの標準曲線を示した図面である。
【図１】
0004002345.tif 000002
【図２】
0004002345.tif 000003